(57)【要約】【課題】オペレータによる判断の手助けを行い、オペレータの労力を低減させることができる建物管理装置及びその方法を提供する。【解決手段】建物に設置された複数の設備機器のエネルギー消費に関するデータを解析して、建物の管理を行う建物管理装置において、各設備機器からエネルギー消費に関するデータを収集するデータ収集部１１と、収集したデータを各設備機器に対応して記憶するデータ記憶部１２と、記憶したデータを評価するための評価ステップが記載されたチェックシートを予め作成するチェックシート作成部１３と、表示画面１４ａに表示したチェックシートにおける評価ステップが選択されると、選択された評価ステップに対応する設備機器のエネルギー消費に関するデータを、所定のグラフに生成して表示する表示部１４とを備える。【選択図】図１
2019101546.tif 000002
【特許請求の範囲】
【請求項１】
建物に設置された複数の設備機器のエネルギー消費に関するデータを解析して、前記建物の管理を行う建物管理装置において、
前記各設備機器から、エネルギー消費に関するデータを収集するデータ収集部と、
前記データ収集部が収集したデータを、前記各設備機器に対応して記憶するデータ記憶部と、
前記データ記憶部に記憶されたデータを評価するための評価項目が記載されたチェックシートを、予め作成するチェックシート作成部と、
前記チェックシート作成部によって作成された前記チェックシートを、表示画面に表示して、その表示した前記チェックシートにおける前記評価項目が選択されると、選択された前記評価項目に対応する前記設備機器のエネルギー消費に関するデータを、所定のグラフに生成して表示する表示部とを備える
ことを特徴とする建物管理装置。
【請求項２】
建物に設置された複数の設備機器のエネルギー消費に関するデータを解析して、前記建物の管理を行う建物管理方法において、
前記各設備機器から収集したエネルギー消費に関するデータを評価するための評価項目が記載されたチェックシートを、予め作成し、
表示画面に表示した前記チェックシートにおける前記評価項目を選択して、この選択した前記評価項目に対応する前記設備機器のエネルギー消費に関するデータを、所定のグラフに生成して表示し、
前記表示画面に表示した前記グラフに基づいて、選択した前記評価項目に対応する前記設備機器のエネルギー消費に関するデータを評価し、
前記表示画面に表示した前記チェックシートにおける選択した前記評価項目とは別の評価項目を順次選択して、この順次選択した前記評価項目に対応する前記設備機器のエネルギー消費に関するデータを、順次評価する
ことを特徴とする建物管理方法。
【請求項３】
前記グラフに基づいた評価結果が、不適切であると判断した場合には、前記表示画面に表示した前記チェックシートにおける選択した前記評価項目の次の項目に記載された改善策に従って、選択した前記評価項目に対応する前記設備機器のエネルギー消費を見直す
ことを特徴とする請求項２記載の建物管理方法。
【請求項４】
前記グラフに基づいた評価結果が、不適切であると判断した場合には、前記表示画面に表示した前記チェックシートにおける選択した前記評価項目の次の項目を選択して、別の設備機器のエネルギー消費に関するデータを評価するための評価項目が記載された別のチェックシートを表示する
ことを特徴とする請求項２記載の建物管理方法。
【発明の詳細な説明】
【技術分野】
【０００１】
この発明は、建物の省エネ化を図ることができる建物管理装置及びその方法に関するものである。
【背景技術】
【０００２】
近年、ビル及び商業施設等の建物には、省エネ化を図ることを目的として、様々なシステムが導入されている。建物の省エネ化を図るためには、当該建物に設置された設備機器のエネルギー消費に関するデータを解析し、それらを効率良く制御することが求められている。
【０００３】
また、設備機器のエネルギー消費に関するデータを解析する際には、そのデータをオペレータの要求に応じてグラフ化する場合が多くある。このようなデータ解析手法は、その解析作業が煩雑になり易く、オペレータの負担を大きくするものである。
【０００４】
そこで、従来、設備機器のエネルギー消費に関するデータ解析を支援可能としたデータ解析支援装置が、種々提供されている。そして、このような従来のデータ解析支援装置としては、例えば、特許文献１に開示されている。
【先行技術文献】
【特許文献】
【０００５】
【特許文献１】特許第３８４６６９０号公報
【発明の概要】
【発明が解決しようとする課題】
【０００６】
しかしながら、上記従来のデータ解析支援装置は、オペレータによるデータ解析を支援可能とするものの、その支援対象となるオペレータを、設備機器の省エネ運転に関するスキルを有するものとしている。つまり、上記従来のデータ解析支援装置は、設備機器の省エネ運転に関するスキルを有していないオペレータを、支援するものではない。
【０００７】
この発明は、上記課題を解決するものであって、オペレータによる判断の手助けを行い、オペレータの労力を低減させることができる建物管理装置及びその方法を提供することを目的とする。
【課題を解決するための手段】
【０００８】
この発明に係る建物管理装置は、建物に設置された複数の設備機器のエネルギー消費に関するデータを解析して、建物の管理を行う建物管理装置において、各設備機器から、エネルギー消費に関するデータを収集するデータ収集部と、データ収集部が収集したデータを、各設備機器に対応して記憶するデータ記憶部と、データ記憶部に記憶されたデータを評価するための評価項目が記載されたチェックシートを、予め作成するチェックシート作成部と、チェックシート作成部によって作成されたチェックシートを、表示画面に表示して、その表示したチェックシートにおける評価項目が選択されると、選択された評価項目に対応する設備機器のエネルギー消費に関するデータを、所定のグラフに生成して表示する表示部とを備えるものである。
【０００９】
この発明に係る建物管理方法は、建物に設置された複数の設備機器のエネルギー消費に関するデータを解析して、建物の管理を行う建物管理方法において、各設備機器から収集したエネルギー消費に関するデータを評価するための評価項目が記載されたチェックシートを、予め作成し、表示画面に表示したチェックシートにおける評価項目を選択して、この選択した評価項目に対応する設備機器のエネルギー消費に関するデータを、所定のグラフに生成して表示し、表示画面に表示したグラフに基づいて、選択した評価項目に対応する設備機器のエネルギー消費に関するデータを評価し、表示画面に表示したチェックシートにおける選択した評価項目とは別の評価項目を順次選択して、この順次選択した評価項目に対応する設備機器のエネルギー消費に関するデータを、順次評価するものである。
【発明の効果】
【００１０】
この発明によれば、オペレータによる判断の手助けを行い、オペレータの労力を低減させることができる。
【図面の簡単な説明】
【００１１】
【図１】この発明の実施の形態１に係る建物管理装置の概略構成を示すブロック図である。
【図２】表示画面に３つのウィンドウが表示されたときの表示状態の一例を示した図である。
【図３】チェックシート表示ウィンドウに表示されたチェックシートの一例を示した図である。
【発明を実施するための形態】
【００１２】
以下、この発明の実施の形態について図面を参照しながら詳細に説明する。
【００１３】
実施の形態１．
図１は、本実施の形態１に係る建物管理装置１の概略構成を示している。図１に示すように、建物管理装置１は、ビル等の建物に設けられた各種設備２と接続している。設備２としては、例えば、空調設備、熱源設備、照明設備、防犯設備、及び、防災設備等である。
【００１４】
各設備２は、種類の異なる設備機器をそれぞれ有している。各設備機器は、建物内の管理ポイントとして規定されている。各設備機器のエネルギー消費に関するデータは、各設備２から通信回線３を介して、建物管理装置１に送信されて、各設備機器の省エネ運転のために使用される。
【００１５】
設備機器としては、例えば、室内から空気を取り込む空調機のファン、室内から取り込んだ空気の温度及び湿度を調節する空調機のコイル、空調機へ送る水（例えば、冷水、温水）の熱源、空調機への送水量を調整する送水バルブ、及び、熱源から空調機に向けて水を送り出す搬送用ポンプ等である。
【００１６】
図１に示すように、建物管理装置１は、データ収集部１１、データ記憶部１２、チェックシート作成部１３、表示部１４、及び、操作入力部１５を備えている。
【００１７】
データ収集部１１は、各設備機器から当該各設備機器のエネルギー消費に関するデータを収集する。データ記憶部１２は、データ収集部１１が収集したデータを、各設備機器に対応して記憶する。
【００１８】
チェックシート作成部１３は、収集して記憶したデータを評価するためのチェックシートを作成するものである。このチェックシートは、設備機器の省エネ運転に関するものであって、これまでの経験、知識、及び、実績に基づいて、設備２ごとに予め作成されたものである。このため、オペレータは、そのチェックシートに沿って、各データに対する評価作業を行うことにより、ＰＤＣＡサイクルに自然と誘導されて、建物の省エネ効果を得ることができる。
【００１９】
ここで、ＰＤＣＡサイクルとは、事業活動において、品質管理及び業務改善等を行うための管理サイクルの１つである。ＰＤＣＡサイクルは、以下の４つのステップから構成されている。
・Ｐｌａｎ（計画）    ：経験、知識、及び、実績に基づいて評価作業計画を作成する。
・Ｄｏ（実施）        ：計画に沿って業務を実施する。
・Ｃｈｅｃｈ（評価）  ：業務の実施が計画に沿っているか否かを確認する。
・Ａｃｔｉｏｎ（改善）：実施が計画に沿っていない部分を調べて処置する。
【００２０】
そこで、先ず、チェックシートを作成する作業は、ＰＤＣＡサイクルの計画ステップに対応するものである。次に、チェックシートに沿って、設備機器から収集したデータを評価する作業は、実施ステップに対応するものである。そして、チェックシートに沿って得られた評価結果が適切であるか否かを判断する作業は、評価ステップに対応するものである。最後に、チェックシートに沿って得られた改善策を実施する作業は、改善ステップに対応するものである。
【００２１】
表示部１４は、ディスプレイ等の画面表示装置であって、表示画面１４ａを有している。表示画面１４ａは、例えば、設備機器の番号及び名称、更に、その設備機器に対応するデータを表示する。操作入力部１５は、キーボード及びマウス等から構成されており、オペレータによるそれらの操作を検出する機能を有している。
【００２２】
図２は、表示画面１４ａの表示形態の一例を示している。表示画面１４ａは、チェックシート表示ウィンドウ３１、グラフ表示ウィンドウ３２、及び、設備機器表示ウィンドウ３３を表示する。
【００２３】
チェックシート表示ウィンドウ３１は、上記チェックシートを表示する。このチェックシート表示ウィンドウ３１に表示されたチェックシートには、評価項目を示す評価ステップ、改善項目を示す改善ステップ、及び、別チェックシート表示項目を示す別チェックシート表示ステップが記載されている。
【００２４】
評価ステップは、設備機器のエネルギー消費に関するデータを評価して、その評価結果の適否を判断するためのステップである。改善ステップは、評価ステップにおける判断結果に基づいて、改善策を指示するためのステップである。別チェックシート表示ステップは、現在評価している設備機器とは別の設備機器のエネルギー消費に関するデータを評価するための別のチェックシートに移行させるためのステップである。
【００２５】
そして、チェックシート表示ウィンドウ３１に表示された評価ステップ及び別チェックシート表示ステップの枠内は、オペレータによるマウスクリックが可能となる範囲である。つまり、チェックシート表示ウィンドウ３１は、オペレータが、表示したチェックシートにおける別チェックシート表示ステップの枠内をマウスクリックすると、別の設備機器のエネルギー消費に関するデータを評価するための別のチェックシートを表示する。
【００２６】
グラフ表示ウィンドウ３２は、各設備機器のエネルギー消費に関するデータを、所定のグラフに生成して表示する。グラフ表示ウィンドウ３２が表示するグラグの種類としては、例えば、（１）バーグラフ、（２）積層グラフ、（３）折れ線グラフ、塗り潰し折れ線グラフ、組み合わせ折れ線グラフ、（４）ステータスグラフ、（５）上述した（１）〜（４）のうち２つ以上組み合わせた複合グラフ、（６）円グラフ、（７）散布図、（８）ヒストグラム、（９）カラーチャート、（１０）空気線図である。
【００２７】
また、グラフ表示ウィンドウ３２が表示するグラフの種類は、チェックシート作成時において、設備機器のデータの種類によって予め設定されている。そして、グラフ表示ウィンドウ３２は、オペレータが、チェックシート表示ウィンドウ３１に表示されたチェックシートにおける評価ステップの枠内をマウスクリックすると、その評価ステップに対応する設備機器のデータを評価するときの判断に必要なグラフを表示する。
【００２８】
設備機器表示ウィンドウ３３は、設備機器の番号と、その設備機器のエネルギー消費に関するデータとを対応させて表示する。このとき、設備機器表示ウィンドウ３３は、設備機器を、そのエネルギー消費に関するデータが悪い状態のものから順に並べ替えることができる。そして、グラフ表示ウィンドウ３２は、オペレータが、設備機器表示ウィンドウ３３に表示された設備機器またはそのデータをマウスクリックすると、その選択した設備機器のエネルギー消費に関するデータを、所定のグラフに生成して表示する。
【００２９】
次に、設備機器の省エネ運転を実施するための評価作業手順について、図３を用いて説明する。図３は、チェックシート表示ウィンドウ３１に表示されたチェックシートの一例である。
【００３０】
ステップＳＴ１１において、オペレータは、空調機のファンにおける消費電力量を評価して、その評価結果が適切であるか否かを判断する。つまり、オペレータは、ステップＳＴ１１の枠内をマウスクリックする。これに対応して、グラフ表示ウィンドウ３２は、ファンの消費電力量を、これを評価するときの判断に必要なグラフにグラフ化して表示する。そして、オペレータは、表示されたグラフに基づいて、ファンの消費電力量を評価する。このとき、オペレータは、ファンの消費電力量が適切であると判断した場合には、処理を完了し、ファンの消費電力量が不適切であると判断した場合には、ステップＳＴ１２に進む。
【００３１】
ステップＳＴ１２において、オペレータは、ファンの消費電力が多消費となる系統において、インバータ（図３ではＩＮＶと記す）の設置有無を確認して、その系統にインバータが無い場合には、ステップＳＴ１３に進み、その系統にインバータが有る場合には、ステップＳＴ１６，ＳＴ１８のうち、少なくともいずれか一方に進む。
【００３２】
ステップＳＴ１３において、オペレータは、空調機の運転時間を評価して、その評価結果が適切であるか否かを判断する。つまり、オペレータは、ステップＳＴ１３の枠内をマウスクリックする。これに対応して、グラフ表示ウィンドウ３２は、空調機の運転時間を、これを評価するときの判断に必要なグラフにグラフ化して表示する。そして、オペレータは、表示されたグラフに基づいて、空調機の運転時間を評価する。このとき、オペレータは、空調機の運転時間が適切であると判断した場合には、ステップＳＴ１４に進み、空調機の運転時間が不適切であると判断した場合には、ステップＳＴ１５に進む。
【００３３】
ステップＳＴ１４において、オペレータは、空調機のダンパが設置されている現場に出向き、ダンパの開度が全開であることを確認して、その開度を現状のまま維持する。
【００３４】
ステップＳＴ１５において、オペレータは、空調機の運転時間を見直して、その運転時間を短くする。
【００３５】
ステップＳＴ１６において、オペレータは、室内設定温度を評価して、その評価結果が適切であるか否かを判断する。つまり、オペレータは、ステップＳＴ１６の枠内をマウスクリックする。これに対応して、グラフ表示ウィンドウ３２は、室内設定温度を、これを評価するときの判断に必要なグラフにグラフ化して表示する。そして、オペレータは、表示されたグラフに基づいて、室内設定温度を評価する。このとき、オペレータは、室内設定温度が適切であると判断した場合には、ステップＳＴ２０に進み、室内設定温度が不適切であると判断した場合には、ステップＳＴ１７に進む。
【００３６】
ステップＳＴ１７において、オペレータは、室内設定温度を見直す。
【００３７】
ステップＳＴ１８において、オペレータは、給気設定温度を評価して、その評価結果が適切であるか否かを判断する。つまり、オペレータは、ステップＳＴ１８の枠内をマウスクリックする。これに対応して、グラフ表示ウィンドウ３２は、給気設定温度を、これを評価するときの判断に必要なグラフにグラス化して表示する。そして、オペレータは、表示されたグラフに基づいて、給気設定温度を評価する。このとき、オペレータは、給気設定温度が適切であると判断した場合には、ステップＳＴ２０に進み、給気設定温度が不適切であると判断した場合には、ステップＳＴ１９に進む。
【００３８】
ステップＳＴ１９において、オペレータは、給気設定温度を見直す。
【００３９】
ステップＳＴ２０において、オペレータは、送水バルブの開度を評価して、その評価結果が適切であるか否かを判断する。つまり、オペレータは、ステップＳＴ２０の枠内をマウスクリックする。これに対応して、グラフ表示ウィンドウ３２は、送水バルブの開度を、これを評価するときの判断に必要なグラフにグラフ化して表示する。そして、オペレータは、表示されたグラフに基づいて、送水バルブの開度を評価する。このとき、オペレータは、送水バルブの開度が適切であると判断した場合には、ステップＳＴ２１に進み、送水バルブの開度が不適切であると判断した場合には、ステップＳＴ２２に進む。
【００４０】
ステップＳＴ２１において、オペレータは、送水バルブが設置されている現場に出向き、送水バルブの開度を確認して、その開度を現状のまま維持する。
【００４１】
ステップＳＴ２２において、オペレータは、空調機のコイル入口温度を評価して、その評価結果が適切であるか否かを判断する。つまり、オペレータは、ステップＳＴ２２の枠内をマウスクリックする。これに対応して、グラフ表示ウィンドウ３２は、空調機のコイル入口温度を、これを評価するときの判断に必要なグラフにグラフ化して表示する。そして、オペレータは、表示されたグラフに基づいて、空調機のコイル入口温度を評価する。このとき、オペレータは、空調機のコイル入口温度が適切であると判断した場合には、ステップＳＴ２６に進み、空調機のコイ入口温度が不適切であると判断した場合には、ステップＳＴ２３に進む。
【００４２】
ステップＳＴ２３において、オペレータは、熱源による送水温度を評価して、その評価結果が適切であるか否かを判断する。つまり、オペレータは、ステップＳＴ２３の枠内をマウスクリックする。これに対応して、グラフ表示ウィンドウ３２は、熱源による送水温度を、これを評価するときの判断に必要なグラフにグラフ化して表示する。そして、オペレータは、表示されたグラフに基づいて、熱源による送水温度を評価する。このとき、オペレータは、熱源による送水温度が適切であると判断した場合には、ステップＳＴ２４に進み、熱源による送水温度が不適切であると判断した場合には、ステップＳＴ２５に進む。
【００４３】
ステップＳＴ２４において、オペレータは、ブリードインの制御を確認して、熱源による送水温度を現状のまま維持する。
【００４４】
ステップＳＴ２５において、オペレータは、空調機の評価作業から熱源の評価作業に移行する。つまり、オペレータは、ステップＳＴ２５の枠内をマウスクリックする。これに対応して、チェックシート表示ウィンドウ３１は、空調機を評価するためのチェックシートに替えて、熱源を評価するためのチェックシートを表示する。そして、オペレータは、切り替え表示されたチェックシートに従って、熱源の評価作業を開始する。
【００４５】
ステップＳＴ２６において、オペレータは、搬送用ポンプの送水圧力を評価して、その評価結果が適切であるか否かを判断する。つまり、オペレータは、ステップＳＴ２６の枠内をマウスクリックする。これに対応して、グラフ表示ウィンドウ３２は、搬送用ポンプの送水圧力を、これを評価するときの判断に必要なグラフにグラフ化して表示する。そして、オペレータは、表示されたグラフに基づいて、搬送用ポンプの送水圧力を評価する。このとき、オペレータは、搬送用ポンプの送水圧力が適切であると判断した場合には、ステップＳＴ２７に進み、搬送用ポンプの送水圧力が不適切であると判断した場合には、ステップＳＴ２８に進む。
【００４６】
ステップＳＴ２７において、オペレータは、搬送用ポンプが設置されている現場に出向き、搬送用ポンプの送水圧力を確認して、その送水圧力を現状のまま維持する。
【００４７】
ステップＳＴ２８において、オペレータは、空調機の評価作業から搬送用ポンプの評価作業に移行する。つまり、オペレータは、ステップＳＴ２８の枠内をマウスクリックする。これに対応して、チェックシート表示ウィンドウ３１は、空調機を評価するためのチェックシートに替えて、搬送用ポンプを評価するためのチェックシートを表示する。そして、オペレータは、切り替え表示されたチェックシートに従って、搬送用ポンプの評価作業を開始する。
【００４８】
なお、ステップＳＴ１１，ＳＴ１３，ＳＴ１６，ＳＴ１８，ＳＴ２０，ＳＴ２２，ＳＴ２３，ＳＴ２６は、評価ステップである。また、ステップＳＴ１４，ＳＴ１５，ＳＴ１７，ＳＴ１９，ＳＴ２１，ＳＴ２４，ＳＴ２７は、改善ステップである。更に、ステップＳＴ２５，ＳＴ２８は、別チェックシート表示ステップである。
【００４９】
従って、オペレータは、チェックシートに沿って、全ての評価項目を順次選択し、この順次選択した評価項目に対応する設備機器のエネルギー消費に関するデータを、順次評価することができる。このとき、評価結果が不適切であると判断した場合には、選択した評価項目の次の改善項目に記載された改善策に従って、設備機器のエネルギー消費を見直すことができる。また、評価結果が不適切であると判断した場合には、選択した評価項目の次の別チェックシート表示項目を選択して、別の設備機器のエネルギー消費に関するデータを評価するための評価項目が記載された別のチェックシートを表示することができる。
【００５０】
但し、上述した実施の形態１におけるチェックシートとしては、複数のチェック項目をそれぞれステップで示し、その流れをステップ間の矢印で表すようにした形式のチェックシートを採用しているが、記載した全ての項目を漏れなく確認することができるのであれば、どのような形式のチェックシートであっても構わない。
【００５１】
例えば、チェックシートとしては、各項目を箇条書で記載したような形式のチェックシートを採用しても構わない。このとき、表示されたチェックシートは、箇条書きされた各項目がクリック可能となるか、あるいは、箇条書きされた各項目の端に、正方形の印となるチェックボックスを有し、このチェックボックスがクリック可能となる。
【００５２】
以上より、本実施の形態１に係る建物管理装置１及びその建物管理方法は、オペレータによる判断の手助けを行うことができるので、オペレータの労力を低減させることができる。このとき、オペレータは、設備機器の省エネ運転に関するスキルを有していなくても、設備機器を省エネ運転に自然と誘導することができる。
【００５３】
なお、本願発明は、その発明の範囲内において、実施の形態の任意の構成要素の変形、もしくは、実施の形態の任意の構成要素の省略が可能である。
【符号の説明】
【００５４】
１  建物管理装置
２  設備
３  通信回線
１１  データ収集部
１２  データ記憶部
１３  チェックシート作成部
１４  表示部
１４ａ  表示画面
１５  操作入力部
３１  チェックシート表示ウィンドウ
３２  グラフ表示ウィンドウ
３３  設備機器表示ウィンドウ
【図１】
2019101546.tif 000003
【図２】
2019101546.tif 000004
【図３】
2019101546.tif 000005